(57)【要約】【課題】ピックアップや計測装置本体等が雨で濡れるのを防げ、また、計測中の盗難も防げ、しかも、それを簡易に実現できる地盤振動計測器具を提供する。【解決手段】持運び可能で開閉可能なケース２内に、計測装置本体３と、ピックアップ４と、脚付き計測台５とが収容され、ケース２に計測台５の脚部５ａを貫通させる第１孔１１が設けられ、ケース２は該孔１１を下にして設置できるようになっている。そして、該設置状態において、脚付き計測台５の脚部５ａを前記孔１１を通じて地面１３に差し込んだ状態で計測台５ｂをケース２内に存置させ、計測台５ｂにピックアップ４を載置し、計測装置本体３はケース２内に収容したまま、ケース２を閉じ、地盤振動の計測を行えるようになされ、盗難防止のためのロック機構やアンカー６も備えられている。【選択図】      図２
2006234479.tif 000002
【特許請求の範囲】
【請求項１】
持運び可能で開閉可能なケース内に、振動計測装置本体と、ピックアップと、脚付き計測台とが収容され、
ケースに計測台の脚部を貫通させる孔が設けられ、ケースは該孔を下にして設置できるようになされており、
該設置状態において、脚付き計測台の脚部を前記孔を通じて地面に差し込んだ状態で計測台をケース内に存置させ、計測台にピックアップを載置し、振動計測装置本体はケース内に収容したまま、ケースを閉じた状態にして、地盤振動の計測を行うことができるようになされていることを特徴とする地盤振動計測器具。
【請求項２】
前記設置状態においてケースを地面から所定の距離離間した状態に保持するケース用脚部が備えられている請求項１に記載の地盤振動計測器具。
【請求項３】
前記設置状態においてケースを地面に固定するアンカーが備えられていると共に、該ケースは開き不能にロックすることができるようになされている請求項１又は２に記載の地盤振動計測器具。
【請求項４】
前記アンカーが、ケース内において地面に固定されるようになされている請求項３に記載の地盤振動計測器具。
【発明の詳細な説明】
【技術分野】
【０００１】
本発明は、交通振動等の地盤振動を計測するための器具に関する。
【背景技術】
【０００２】
建物を建築しようとする敷地についての交通振動等の地盤振動の計測を、持運び可能な振動計測装置を用いて行う場合、計測は、脚付き計測台の脚部を地面に差し込み、振動計測装置本体から延ばされたピックアップを計測台の上に載せ、その状態で機材を昼夜にわたって放置し、地面から計測台を通じてピックアップに伝えられる振動を振動計測装置本体で取得していくというようにして行われる。
【発明の開示】
【発明が解決しようとする課題】
【０００３】
しかしながら、計測中に雨に降られることがあり、ピックアップや計測装置本体が雨で濡れないようにする必要がある。また、計測は昼夜にわたって行われることから、機材が盗まれないようにしておく必要もある。
【０００４】
本発明は、上記のような必要に基づいてなされたものであって、ピックアップや計測装置本体等が雨で濡れるのを防ぐことができ、また、計測中の機材盗難を防ぐことができ、しかも、それを簡易に実現することができる、地盤振動計測器具を提供することを課題とする。
【課題を解決するための手段】
【０００５】
上記の課題は、持運び可能で開閉可能なケース内に、振動計測装置本体と、ピックアップと、脚付き計測台とが収容され、
ケースに計測台の脚部を貫通させる孔が設けられ、ケースは該孔を下にして設置できるようになされており、
該設置状態において、脚付き計測台の脚部を前記孔を通じて地面に差し込んだ状態で計測台をケース内に存置させ、計測台にピックアップを載置し、振動計測装置本体はケース内に収容したまま、ケースを閉じた状態にして、地盤振動の計測を行うことができるようになされていることを特徴とする地盤振動計測器具によって解決される。
【０００６】
この器具によれば、振動計測装置本体やピックアップ、脚付き計測台等をケースに収容してそれら機材の持運びを容易に行うことができると共に、現場での計測中は、ピックアップや計測台、振動計測装置本体を、閉じられた前記ケース内に収容した状態にしておくことができるので、それらが雨で濡らされるのを機材持運び用のケースを利用して簡易に防ぐことができる。
【０００７】
上記の計測器具において、前記設置状態においてケースを地面から所定の距離離間した状態に保持するケース用脚部が備えられている場合は、該ケース用脚部を利用することによって、ケースを地面から浮かせた状態にすることができ、雨水が下からケース内に侵入するのを防ぐことができて、雨の中、より万全なかたちで計測を行っていくことができる。
【０００８】
上記の計測器具において、前記設置状態においてケースを地面に固定するアンカーが備えられていると共に、該ケースは開き不能にロックすることができるようになされているとよい。この場合は、計測中、ケースを開き不能にロックした状態にしておくことで、ケース内から振動計測装置本体やピックアップが盗み出されるのを防ぐことができ、しかも、ケースはアンカーで地面に固定されているので、それらがケース諸共盗まれてしまうのも防ぐことができる。
【０００９】
特に、前記アンカーが、ケース内において地面に固定されるようになされている場合は、ケースのロックを解除できなければアンカーを抜くことができず、盗難を効果的に防止することができる。
【発明の効果】
【００１０】
本発明は、以上のとおりのものであるから、ピックアップや計測装置本体等が雨で濡れるのを防ぐことができ、また、計測中の機材盗難を防ぐことができ、しかも、それを簡易に実現することができる。
【発明を実施するための最良の形態】
【００１１】
次に、本発明の実施最良形態を図面に基づいて説明する。
【００１２】
図１〜図３に示す実施形態の地盤振動計測器具１において、２はケース、３は振動計測装置本体、４はピックアップ、５は脚付き計測台、６はアンカー、７はハンマーである。なお、ハンマー７は脚付き計測台５の脚部５ａを地面に差し込むのに用いられる。
【００１３】
ケース２は、図２及び図３に示すように、持運び可能なサイズの箱形の例えばアルミ製のものなどからなり、上部は開口し該開口部に蓋２ａがヒンジで取り付けられて開閉できるようになされていると共に、蓋２ａを閉じた状態でケース２を開き不能にロックするロック機構８，８が備えられている。ロック機構８，８は、鍵式のものであってもよいし、ダイヤル式のものであってもよい。
【００１４】
ケース２内には、図２（イ）に示すように、発泡樹脂などからなる上下２段の機材収容枠９，１０が取外し可能に備えられ、下段の機材収容枠１０には、図３（イ）に示すように、振動計測装置本体３、ピックアップ４及び脚付き計測台５が収容され、上段の機材収容枠９には、図３（ロ）に示すように、アンカー６とハンマー７が収容され、図２（ロ）に示すように、ケース２は、蓋２ａを閉じた状態にして持運びできるようになされている。なお、持運びは、人が手を使って直接行われてもよいし、女性などの場合には台車が用いられてもよい。
【００１５】
また、ケース２の四隅下面側にはケース用脚部１４…が備えられており、各ケース用脚部１４…はネジ機構などによって個別にその長さ寸法を調整することができるようになされて、地面状態にかかわらずケース２を水平に設置することができると共に、ケース２を地面から所定の距離離間させた状態に保持して設置することができるようになされている。
【００１６】
そして、図２（イ）に示すように、下段の機材収容枠１０は、振動計測装置本体３を収容する凹所１０ａは有底であるけれども、ピックアップ収容部１０ｂと脚付き計測台５の台５ｂを収容する部分１０ｃは下に貫通しており、ケース２の底面には、台５ｂを収容する部分１０ｃに対応して計測台５の脚部５ａを貫通させる第１孔１１が設けられると共に、ピックアップ収容部１０ｂに対応してアンカー６を通す第２孔１２が設けられている。なお、図示しないけれども、第２孔１２には、ピックアップ収容部１０ｂに収容されたピックアップ４がケース２の外に落ち出てしまわないように、例えば蓋材を設置しておくとよい。
【００１７】
上記の地盤振動計測器具１では、図２及び図３に示すように、計測装置本体３、ピックアップ４、脚付き計測台５、アンカー６、ハンマー７等の一式をケース２内に収容した状態で、測定しようとする敷地に持ち込むことができ、持運びを便利に行うことができる。
【００１８】
そして、現地では、ケース２を開いて上段の機材収容枠９を取り出し、図１（イ）（ロ）に示すように、脚付き計測台５の脚部５ａが、地面１３に設置されたケース２の第１孔１１を通じて地面１３に差し込まれた状態にすると共に、下段機材収容枠１０の台収容部分１０ｃ内のスペースを利用して計測台５ｂをケース２内に存置させた状態にし、該計測台５ｂの上にピックアップ４を載置する。なお、脚付き計測台５は、その脚部５ａをケース２内から第１孔１１を通じて地面１３に差し込むというようにしてセットされてもよいし、脚付き計測台５の脚部５ａを地面１３に差し込んだのち、上からケース２をかぶせるというようにしてセットされてもよい。
【００１９】
また、図１（イ）（ハ）に示すように、ケース２の第２孔１２を通じてアンカー６が地面１３に打たれ、ケース２がアンカー６で地面１３に固定された状態にする。なお、アンカー６についても、ケース２内から第２孔１２を通じて地面１３に打つことによって設置されてもよいし、上下分割式のアンカーを用い、下アンカー部材を地面に打ち込んだのち、ケース２をかぶせてケース２内で下アンカー部材に上アンカー部材を連結するというように設置されてもよい。
【００２０】
更に、ケース用脚部１４…の長さ寸法を調節し、ケース２が水平となり、地面１３に雨で水たまりができても底面側から雨が侵入しない高さ位置となるように設定する。
【００２１】
こうして機材のセッティングを終えた後、計測を開始し、蓋２ａを閉じ、ロックをし、必要に応じて、ケース２をケースカバーでカバーして、昼夜にわたって計測を行っていく。なお、図示しないが、上段の機材収容枠９とハンマー７はケース２内に収容しておけば、邪魔にならずにスッキリとした納まりにすることができる。そして、計測中、雨が降っても、ピックアップ４や計測台５ｂ、振動計測装置本体３は、閉じられたケース２内に収容されているし、また、ケース２はケース用脚部１４…によって地面１３から浮かせた状態にされているので、それらが雨で濡らされることはない。
【００２２】
また、夜間等の計測が無人で行われても、ケース２はロック機構８，８で開き不能にロックされているし、ケース２もアンカー６で地面１３に固定されているので、ケース２内から振動計測装置本体３やピックアップ４等が盗み出されたり、それらがケース２諸共盗まれたりすることもない。特に、アンカー６は、ケース２内において地面１３に固定されているので、ケース２のロックを解除できなければアンカー６を抜くことができず、盗難を効果的に防止することができる。
【００２３】
以上に、本発明の実施形態を示したが、本発明はこれに限られるものではなく、発明思想を逸脱しない範囲で各種の変更が可能である。例えば、上記の実施形態では、アンカー６がケース２内において地面１３に固定されるようになされているが、アンカーがケースの外で地面に固定されることによりケースが地面に固定されるようになされていてもよい。
【００２４】
また、ケース用脚部１４…は、高さ調整機能のないものであってもよいし、また、ケース２に対し取外しできないように設けられていてもよいし、ケース２に対し着脱できるように取り付けられるものであってもよいし、また、ケースの構造などから必要なければ省略されてもよい。
【００２５】
更に、ケースの形態に制限はなく、アタッシュケース式のものであってもよく、その場合は、第１孔や第２孔はケースの側面部に備えられ、ケースはその側面部を下にして地面に設置されて計測が行われる。また、ケースのサイズや、全体重量は、人が手で直接持運びできるものに設計されていてもよいし、台車等を利用して持運びできるものであつてもよいし、サイズや重量に制限はない。
【図面の簡単な説明】
【００２６】
【図１】実施形態の地盤振動計測器具の地面設置状態を示すもので、図（イ）は蓋を開いて上段の機材収容枠を取り外した状態の平面図、図（ロ）は図（イ）のＩ−Ｉ線断面図、図（ロ）は図（イ）のＩＩ−ＩＩ線断面図である。
【図２】図（イ）は地盤振動計測器具の分解斜視図、図（ロ）は内部に機材等を収容しケースを閉じた状態の地盤振動計測器具の斜視図である。
【図３】図（イ）はケースの蓋を開いて上段の機材収容枠を取り外した状態の斜視図、図（ロ）はケースの蓋を開いて上段の機材収容枠を取り付けた状態の斜視図である。
【符号の説明】
【００２７】
１…地盤振動計測器具
２…ケース
３…振動計測装置本体
４…ピックアップ
５…脚付き計測台
５ａ…脚部
５ｂ…計測台
６…アンカー
８…ロック機構
１１…第１孔
１２…第２孔
１３…地面
１４…ケース用脚部
【図１】
2006234479.tif 000003
【図２】
2006234479.tif 000004
【図３】
2006234479.tif 000005